(57)【要約】【課題】別途に専用部品を要することなく一次電池，二次電池を同じケースで簡単に互換実装できる小型で簡易な構造を持つ適用性に優れた一次電池及び二次電池向け互換実装型電池ボックスを提供すること。【解決手段】この電池ボックスにおいて、一次電池から二次電池へと収納実装の切り替えを行う場合、操作レバー４における固定端子片３（ケース１の一周壁に取り付けられている）と対向する他周壁の局所を矢印の向きに引き下げ操作し、可動端子片２の平坦片２ａにおける他周壁側に位置される先端と操作レバー４の突起部４ａとの当接による係止状態（一次電池を収納実装するための位置決め固定）を解放してから可動端子片２を矢印の向きの他周壁側へスライドさせ、引き下げ操作を解放して平坦片２ａの係止用穴２ｂに操作レバー４の突起部４ａを挿入することで二次電池を収納実装するための位置決め固定を行う。【選択図】図２
2005174673.tif 000002
【特許請求の範囲】
【請求項１】
着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、前記対向する端子片は、一方のものがケースの一周壁に固定して取り付けられた固定端子片であり、他方のものが前記一次電池，前記二次電池の外形寸法に応じて前記固定端子片に対して所定の間隔を持つように該固定端子片の延在方向と垂直な方向にスライドされて位置決め固定される可動端子片であり、前記ケースの一部は、前記可動端子片を位置決め固定可能な操作レバーとして働き、前記可動端子片は、前記一次電池を収納実装する場合と前記二次電池を収納実装する場合とでスライドによりそれぞれ異なる位置で前記操作レバーとの間で係止されることを特徴とする一次電池及び二次電池向け互換実装型電池ボックス。
【請求項２】
請求項１記載の一次電池及び二次電池向け互換実装型電池ボックスにおいて、前記操作レバーは、前記ケースにおける前記固定端子片と対向する他周壁の局所から前記一次電池，前記二次電池を実装支持するための底面に及んで該固定端子片，該可動端子片の延在する方向と垂直な方向に該可動端子片近傍に延びて平行に切り込まれて形成された引き下げ操作可能な切り込み片であると共に、該可動端子片側の端部が該ケース内に突出する突起部として形成され、前記可動端子片は、前記ケースの前記底面に接触支持される平坦片を一体的に有し、且つ該平坦片の前記他周壁側に位置される所定箇所には前記操作レバーの前記突起部を挿入して係止するための係止用穴が設けられ、更に、前記可動端子片は、前記操作レバーの前記引き下げ操作に応じて前記一次電池を収納実装する場合には前記平坦片の前記他周壁側に位置される先端が該操作レバーの前記突起部に当接され、且つ前記二次電池を収納実装する場合には該操作レバーの該突起部が該平坦片の前記係止用穴に挿入されることを特徴とする一次電池及び二次電池向け互換実装型電池ボックス。
【請求項３】
着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、前記対向する端子片は、一方のものがケースの一周壁に固定して取り付けられた固定端子片であり、他方のものが前記一次電池，前記二次電池の外形寸法に応じて前記固定端子片に対して所定の間隔を持つように該固定端子片の延在方向と垂直な方向にスライドされて位置決め固定される可動端子片であり、前記ケースの一部に嵌合装着されて前記可動端子片を位置決め固定可能な位置決め操作片が設けられ、前記可動端子片は、前記一次電池を収納実装する場合と前記二次電池を収納実装する場合とでスライドによりそれぞれ異なる位置で前記位置決め操作片との間で係止されることを特徴とする一次電池及び二次電池向け互換実装型電池ボックス。
【請求項４】
請求項３記載の一次電池及び二次電池向け互換実装型電池ボックスにおいて、前記位置決め操作片は、前記ケースにおける前記固定端子片と対向する他周壁の局所から前記一次電池，前記二次電池を実装支持するための底面に及んで該固定端子片，該可動端子片の延在する方向に対して垂直な方向及び平行な方向で該可動端子片近傍に延びて切り込まれて得られる形状に合致した形状を有して該ケースの局部へ嵌合離脱可能であると共に、該可動端子片側の端部が該ケース内に突出する突起部として形成され、前記可動端子片は、前記ケースの前記底面に接触支持される平坦片を一体的に有し、且つ該平坦片の前記他周壁側に位置される所定箇所には前記位置決め操作片の前記突起部を挿入して係止するための係止用穴が設けられ、更に、前記可動端子片は、前記位置決め操作片の前記嵌合状態で前記一次電池を収納実装する場合には前記平坦片の前記他周壁側に位置される先端が該位置決め操作片の前記突起部に当接され、且つ前記二次電池を収納実装する場合には該位置決め操作片の該突起部が該平坦片の前記係止用穴に挿入されることを特徴とする一次電池及び二次電池向け互換実装型電池ボックス。
【請求項５】
着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、前記対向する端子片は、一方のものがケースの一周壁に固定して取り付けられた固定端子片であり、他方のものが前記一次電池，前記二次電池の外形寸法に応じて前記固定端子片に対して所定の間隔を持つように該固定端子片の延在方向と垂直な方向で位置決めされて前記ケースの内部に差し込み固定される差し込み端子片であり、前記ケースにおける前記固定端子片及び前記差し込み端子片が対向する間に位置される別の対向する周壁の所定箇所には、該固定端子片及び該差し込み端子片の延在方向と平行な第１の位置で該差し込み端子片を差し込んで前記一次電池を収納実装可能に位置決め固定するための第１の装着部と、前記第１の位置とは異なる位置の該固定端子片及び該差し込み端子片の延在方向と平行な第２の位置で該差し込み端子片を差し込んで前記二次電池を収納実装可能に位置決め固定するための第２の装着部とが設けられたことを特徴とする一次電池及び二次電池向け互換実装型電池ボックス。
【請求項６】
請求項５記載の一次電池及び二次電池向け互換実装型電池ボックスにおいて、前記第１の装着部と前記第２の装着部とは、前記ケースにおける前記別の対向する周壁にあっての前記第１の位置と前記第２の位置とにそれぞれ設けられた凹溝であることを特徴とする一次電池及び二次電池向け互換実装型電池ボックス。
【請求項７】
請求項６記載の一次電池及び二次電池向け互換実装型電池ボックスにおいて、前記凹溝は、前記ケースにおける前記一次電池，前記二次電池を実装支持するための底面にあっての前記第１の位置の対向するもの同士を結ぶ第１の線上と前記第２の位置の対向するもの同士を結ぶ第２の線上とに及んで設けられたことを特徴とする一次電池及び二次電池向け互換実装型電池ボックス。
【発明の詳細な説明】
【技術分野】
【０００１】
本発明は、主として電気機器の本体の一部として適用されると共に、一次電池（乾電池）及び二次電池（蓄電池）を対象として専用部品を用いることなく簡単に互換実装できるようにした一次電池及び二次電池向け互換実装型電池ボックスに関する。
【背景技術】
【０００２】
従来、一般的な電池ボックスとしては、一次電池の外形寸法が異なるものを互換実装可能にした構造のものとして、例えば可動端子を設けて一次電池における種別なものに対応させたもの（特許文献１参照）が知られている。
【０００３】
又、電池ボックスにおいて、外形寸法と共に、出力電圧が異なる電池を互換実装可能にした構造のものとして、例えば小出力電池用の端子を有する外枠に対し、その端子の一部を使用可能で出力電圧が異なる電池を配置できる内枠を嵌装させるようにしたもの（特許文献２参照）が知られている。
【０００４】
更に、電池ボックスにおいて、一次電池及び二次電池を互換実装可能にした構造のもの（上述した特許文献２の構造のものについても、このタイプに属されるとみなすことができる）として、二次電池装着用の負極電極端子と一次電池装着用の負極電極端子とをピンにより回動自在に取り付けた構造のもの（特許文献３参照）、回転自在な切換板を設けて切換板の回転操作に応じて充電池用収納ケースにおける収納部を使い分けて一次電池と二次電池との双方を使用できるようにしたもの（特許文献４参照）、回動自在な電池接触片ブロックを回動させてその異なる面に設けられた電池接触片のうちの適合するものに収納された一次電池，二次電池の電極に接触させるもの（特許文献５参照）、一次電池用の収納空間に対して二次電池を収容した収容体を着脱可能にしたもの（特許文献６参照）、二次電池を収容して使用可能な内部ユニット本体に一次電池を収容して使用可能な電池収納アダプターを着脱可能にしたもの（特許文献７参照）、ガイド部材の起き上がりの有無で一次電池，二次電池の双方を使い分けるようにしたもの（特許文献８参照）等が知られている。
【特許文献１】特開２００１−３３２２３３（要約）
【特許文献２】特開２００３−１８７７６９（要約）
【特許文献３】特開平５−１２８８３４号公報（要約）
【特許文献４】特開平５−５４６２３号公報（要約）
【特許文献５】特開平５−６２６６０号公報（要約）
【特許文献６】実開平７−１１４５５号公報（要約）
【特許文献７】特開平９−９７５９９号公報（要約、第３頁）
【特許文献８】特開平８−３２９９１４号公報（要約）
【発明の開示】
【発明が解決しようとする課題】
【０００５】
上述した一次電池及び二次電池を互換実装可能にした何れの電池ボックス（特許文献２〜特許文献８に係る構造のもの）においても、二次電池を実装するときに別途に専用部品を配備することで使用可能とする（これは一般に一次電池，二次電池では外形寸法が異なるために同じスペースに実装ができないことによる）か、或いはケース側に設けられた可動片としての回動片を操作して二次電池を収納するための切り換え設定を行う必要があるため、専用部品を要する構造の場合には一次電池の使用時にその専用部品を別途に管理する必要があり、しかも二次電池の使用時に専用部品を装着して組み立てる手間がかかるために管理や組み立てが煩雑で簡易に使用できないという基本構造上の問題があり、回動片を操作する構造の場合にはこうした基本構造上の問題や取り扱い上の問題は解消されるものの、構造自体が複雑となってコスト高になってしまう上、回動片の操作回転角度が約９０度程度と小さくないものが多く、その回動に要する許容範囲分のスペースが必要になることにより、昨今の小型化・軽量化の著しい電気機器の一部へ適用するときにその限られたスペースでは適用できないことがあるという問題があり、更に、多くの場合には一次電池，二次電池を接続するために専用の端子を数多く設ける必要がある（多少の共用端子を持たせた構造のものもある）ことにより、上述したように構造自体が複雑となってコスト高になり易いという問題がある。即ち、周知の一次電池及び二次電池向け互換実装型電池ボックスの場合、適用性に優れた簡易な構造でないものが多いという難点がある。
【０００６】
本発明は、このような問題点を解決すべくなされたもので、その技術的課題は、別途に専用部品を要することなく一次電池，二次電池を同じケースで簡単に互換実装できる小型で簡易な構造を持つ適用性に優れた一次電池及び二次電池向け互換実装型電池ボックスを提供することにある。
【課題を解決するための手段】
【０００７】
本発明によれば、着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、対向する端子片は、一方のものがケースの一周壁に固定して取り付けられた固定端子片であり、他方のものが一次電池，二次電池の外形寸法に応じて固定端子片に対して所定の間隔を持つように該固定端子片の延在方向と垂直な方向にスライドされて位置決め固定される可動端子片であり、ケースの一部は、可動端子片を位置決め固定可能な操作レバーとして働き、可動端子片は、一次電池を収納実装する場合と二次電池を収納実装する場合とでスライドによりそれぞれ異なる位置で操作レバーとの間で係止される一次電池及び二次電池向け互換実装型電池ボックスが得られる。
【０００８】
この一次電池及び二次電池向け互換実装型電池ボックスにおいて、操作レバーは、ケースにおける固定端子片と対向する他周壁の局所から一次電池，二次電池を実装支持するための底面に及んで該固定端子片，該可動端子片の延在する方向と垂直な方向に該可動端子片近傍に延びて平行に切り込まれて形成された引き下げ操作可能な切り込み片であると共に、該可動端子片側の端部が該ケース内に突出する突起部として形成され、可動端子片は、ケースの底面に接触支持される平坦片を一体的に有し、且つ該平坦片の他周壁側に位置される所定箇所には操作レバーの突起部を挿入して係止するための係止用穴が設けられ、更に、可動端子片は、操作レバーの引き下げ操作に応じて一次電池を収納実装する場合には平坦片の他周壁側に位置される先端が該操作レバーの突起部に当接され、且つ二次電池を収納実装する場合には該操作レバーの該突起部が該平坦片の係止用穴に挿入されることは好ましい。
【０００９】
又、本発明によれば、着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、対向する端子片は、一方のものがケースの一周壁に固定して取り付けられた固定端子片であり、他方のものが一次電池，二次電池の外形寸法に応じて固定端子片に対して所定の間隔を持つように該固定端子片の延在方向と垂直な方向にスライドされて位置決め固定される可動端子片であり、ケースの一部に嵌合装着されて可動端子片を位置決め固定可能な位置決め操作片が設けられ、可動端子片は、一次電池を収納実装する場合と二次電池を収納実装する場合とでスライドによりそれぞれ異なる位置で位置決め操作片との間で係止される一次電池及び二次電池向け互換実装型電池ボックスが得られる。
【００１０】
この一次電池及び二次電池向け互換実装型電池ボックスにおいて、位置決め操作片は、ケースにおける固定端子片と対向する他周壁の局所から一次電池，二次電池を実装支持するための底面に及んで該固定端子片，該可動端子片の延在する方向に対して垂直な方向及び平行な方向で該可動端子片近傍に延びて切り込まれて得られる形状に合致した形状を有して該ケースの局部へ嵌合離脱可能であると共に、該可動端子片側の端部が該ケース内に突出する突起部として形成され、可動端子片は、ケースの底面に接触支持される平坦片を一体的に有し、且つ該平坦片の他周壁側に位置される所定箇所には位置決め操作片の突起部を挿入して係止するための係止用穴が設けられ、更に、可動端子片は、位置決め操作片の嵌合状態で一次電池を収納実装する場合には平坦片の他周壁側に位置される先端が該位置決め操作片の突起部に当接され、且つ二次電池を収納実装する場合には該位置決め操作片の該突起部が該平坦片の係止用穴に挿入されることは好ましい。
【００１１】
更に、本発明によれば、着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な一次電池及び二次電池向け互換実装型電池ボックスにおいて、対向する端子片は、一方のものがケースの一周壁に固定して取り付けられた固定端子片であり、他方のものが一次電池，二次電池の外形寸法に応じて固定端子片に対して所定の間隔を持つように該固定端子片の延在方向と垂直な方向で位置決めされてケースの内部に差し込み固定される差し込み端子片であり、ケースにおける固定端子片及び差し込み端子片が対向する間に位置される別の対向する周壁の所定箇所には、該固定端子片及び該差し込み端子片の延在方向と平行な第１の位置で該差し込み端子片を差し込んで一次電池を収納実装可能に位置決め固定するための第１の装着部と、第１の位置とは異なる位置の該固定端子片及び該差し込み端子片の延在方向と平行な第２の位置で該差し込み端子片を差し込んで二次電池を収納実装可能に位置決め固定するための第２の装着部とが設けられた一次電池及び二次電池向け互換実装型電池ボックスが得られる。
【００１２】
この一次電池及び二次電池向け互換実装型電池ボックスにおいて、第１の装着部と第２の装着部とは、ケースにおける別の対向する周壁にあっての第１の位置と第２の位置とにそれぞれ設けられた凹溝であることは好ましい。更に、この一次電池及び二次電池向け互換実装型電池ボックスにおいて、凹溝は、ケースにおける一次電池，二次電池を実装支持するための底面にあっての第１の位置の対向するもの同士を結ぶ第１の線上と第２の位置の対向するもの同士を結ぶ第２の線上とに及んで設けられたことは好ましい。
【発明の効果】
【００１３】
本発明の一次電池及び二次電池向け互換実装型電池ボックスの場合、着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な機能を得るべく、対向する端子片の一方のものをケースの一周壁に固定して取り付けられた固定端子片とした上、他方のものを一次電池，二次電池の外形寸法に応じて固定端子片に対して所定の間隔を持つように固定端子片の延在方向と垂直な方向にスライドされて位置決め固定される可動端子片とする基本構造か、或いは一次電池，二次電池の外形寸法に応じて固定端子片に対して所定の間隔を持つように固定端子片の延在方向と垂直な方向で位置決めされてケースの内部に差し込み固定される差し込み端子片とする基本構造を採用し、第１の形態ではケースの一部を可動端子片を位置決め固定可能な操作レバーとした上、可動端子片が一次電池を収納実装する場合と二次電池を収納実装する場合とでスライドによりそれぞれ異なる位置で操作レバーとの間で係止される構造とし、第２の形態ではケースの一部に嵌合装着されて可動端子片を位置決め固定可能な位置決め操作片が設けられるようにした上、可動端子片が一次電池を収納実装する場合と二次電池を収納実装する場合とでスライドによりそれぞれ異なる位置で位置決め操作片との間で係止される構造とし、第３の形態ではケースにおける固定端子片及び差し込み端子片が対向する間に位置される別の対向する周壁の所定箇所に対し、固定端子片及び差し込み端子片の延在方向と平行な第１の位置で差し込み端子片を差し込んで一次電池を収納実装可能に位置決め固定するための第１の装着部と、第１の位置とは異なる位置の固定端子片及び差し込み端子片の延在方向と平行な第２の位置で差し込み端子片を差し込んで二次電池を収納実装可能に位置決め固定するための第２の装着部とを設ける構造としているため、可動端子片を操作レバーの操作に際して位置決め固定するか、可動端子片を位置決め操作片の嵌合装着に際して位置決め固定するか、或いは差し込み端子片を第１の位置や第２の位置に差し込んで位置決め固定することにより、一次電池，二次電池の外形寸法や出力電圧の異なるものを同じケース内において固定端子片と可動端子片や差し込み端子片との間で挟んで正極端子及び負極端子に対して電気的に接続することで互換収納実装できるようになる。
【００１４】
このような第１の形態乃至第３の形態の構造における何れを採用しても、操作レバーの操作や位置決め操作片の嵌合装着に際して可動端子片をスライドさせて位置決め固定するか、或いは差し込み端子片を差し込んで位置決め固定するだけで一次電池，二次電池を使用することができ、しかも従来のように別途に専用部品を必要としたり、或いは移動端子片が回転される構造でないため、一次電池，二次電池を同じケースで簡単に互換実装できる小型で簡易な構造を持つ適用性に優れたものとなり、従来に無く端子数を削減できて低コスト化が実現され、電池切り替え作業の煩雑さが解消されるようになる。
【発明を実施するための最良の形態】
【００１５】
本発明の一次電池及び二次電池向け互換実装型電池ボックスは、着脱可能な上蓋部分を取り外した状態の箱状のケース内に位置決めして起立して配置された対向する端子片間で一次電池，二次電池をそれぞれ所定箇所に設けられた正極端子及び負極端子の間に挟み込んで接続されるように互換実装可能な機能構造を持つものである。
【００１６】
第１の形態は、対向する端子片の一方のものをケースの一周壁に固定して取り付けられた固定端子片とすると共に、他方のものを一次電池，二次電池の外形寸法に応じて固定端子片に対して所定の間隔を持つように固定端子片の延在方向と垂直な方向にスライドされて位置決め固定される可動端子片とし、ケースの一部を可動端子片を位置決め固定可能な操作レバーとした上、可動端子片が一次電池を収納実装する場合と二次電池を収納実装する場合とでスライドによりそれぞれ異なる位置で操作レバーとの間で係止される構造とするものである。
【００１７】
又、第２の形態は、対向する端子片の一方のものをケースの一周壁に固定して取り付けられた固定端子片とすると共に、他方のものを一次電池，二次電池の外形寸法に応じて固定端子片に対して所定の間隔を持つように固定端子片の延在方向と垂直な方向にスライドされて位置決め固定される可動端子片とし、ケースの一部に嵌合装着されて可動端子片を位置決め固定可能な位置決め操作片が設けられるようにした上、可動端子片が一次電池を収納実装する場合と二次電池を収納実装する場合とでスライドによりそれぞれ異なる位置で位置決め操作片との間で係止される構造とするものである。
【００１８】
更に、第３の形態は、対向する端子片の一方のものをケースの一周壁に固定して取り付けられた固定端子片とすると共に、他方のものを一次電池，二次電池の外形寸法に応じて固定端子片に対して所定の間隔を持つように固定端子片の延在方向と垂直な方向で位置決めされてケースの内部に差し込み固定される差し込み端子片とし、ケースにおける固定端子片及び差し込み端子片が対向する間に位置される別の対向する周壁の所定箇所に対し、固定端子片及び差し込み端子片の延在方向と平行な第１の位置で差し込み端子片を差し込んで一次電池を収納実装可能に位置決め固定するための第１の装着部と、第１の位置とは異なる位置の固定端子片及び差し込み端子片の延在方向と平行な第２の位置で差し込み端子片を差し込んで二次電池を収納実装可能に位置決め固定するための第２の装着部とを設ける構造とするものである。
【００１９】
第１の形態乃至第３の形態の構造によれば、可動端子片を操作レバーの操作に際して位置決め固定するか、可動端子片を位置決め操作片の嵌合装着に際して位置決め固定するか、或いは差し込み端子片を第１の位置や第２の位置に差し込んで位置決め固定することにより、一次電池，二次電池の外形寸法や出力電圧の異なるものを同じケース内において固定端子片と可動端子片や差し込み端子片との間で挟んで正極端子及び負極端子に対して電気的に接続することで互換収納実装を行うことができる。
【実施例１】
【００２０】
図１は、本発明の実施例１に係る一次電池及び二次電池向け互換実装型電池ボックスの一次電池５に対する収納実装状態での基本構造を上蓋を取り外した状態で示したもので、同図（ａ）は外観斜視図に関するもの，同図（ｂ）は上面方向からの平面図に関するもの，同図（ｃ）は同図（ｂ）におけるＡ−Ａ′線矢視方向における側面断面図に関するものである。
【００２１】
この一次電池及び二次電池向け互換実装型電池ボックスは、上述した第１の形態の構造を具体化したもので、着脱可能な上蓋部分を取り外した状態の箱状のケース１内に位置決めして起立して配置された対向する端子片間で一次電池５，二次電池（後述する）をそれぞれ所定箇所に設けられた正極端子及び負極端子の間に挟み込んで接続されるように互換実装可能な機能を持つものである。
【００２２】
その基本構造は、対向する端子片の一方のものをケース１の一周壁に所定の間隔を持たせて固定して取り付けられた複数（ここでは３個）の固定端子片３とすると共に、他方のものを一次電池５，二次電池の外形寸法に応じて固定端子片３に対して所定の間隔を持つように固定端子片３の延在方向と垂直な方向にスライドされて位置決め固定される可動端子片２とし、ケース１の一部を可動端子片２を位置決め固定可能な操作レバー４とした上、可動端子片２が一次電池５を収納実装する場合と二次電池を収納実装する場合とでスライドによりそれぞれ異なる位置で操作レバー４との間で係止されるようになっている。
【００２３】
このため、細部構造として、操作レバー４は、ケース１における固定端子片３と対向する他周壁の局所から一次電池５，二次電池を実装支持するための底面に及んで固定端子片３，可動端子片２の延在する方向と垂直な方向に可動端子片２近傍に延びて平行に切り込まれて形成された引き下げ操作可能な切り込み片となっていると共に、引き下げ操作の無い状態で可動端子片２側の端部がケース１内に突出する突起部４ａとして形成されている。この操作レバー４は、図１（ｃ）を参照すれば、側面断面の形状が略Ｌ字型となっている。
【００２４】
又、可動端子片２は、ケース１の底面に接触支持される平坦片２ａを一体的に有し、且つ平坦片２ａの他周壁側に位置される所定箇所には操作レバー４の突起部４ａを挿入して係止するための係止用穴２ｂが設けられている。この可動端子片２は、図１（ｃ）を参照すれば、ケース１内でスライドプレート上に端子プレートを起立するように設けることで固定端子片３に対する距離を変化させられるようになっており、側面断面の形状が略Ｔ字型となっている。更に、可動端子片２は、図１（ｂ），（ｃ）に示されるように、操作レバー４を引き下げ操作せずに一次電池５を収納実装する場合、平坦片２ａの他周壁側に位置される先端が操作レバー４の突起部４ａに当接され、後述するように二次電池を収納実装する場合には平坦片２ａの係止用穴２ｂに操作レバー４の突起部４ａが挿入されるようになっている。
【００２５】
即ち、図１（ａ）〜（ｃ）では、可動端子片２における平坦片２ａの他周壁側に位置される先端と操作レバー４の突起部４ａとの当接係止により二次電池５を収納実装するための位置決め固定された状態にあって、一次電池５をケース１内で固定端子片３と可動端子片２との間で挟んで正極端子及び負極端子に対して電気的に接続することで収納実装した様子（ここでは一次電池５として単三電池の６本を収納実装した様子を示すが、単一電池や単二電池を使用できるようにしても良いし、使用本数も任意に設定することが可能である）を示している。
【００２６】
図２は、この一次電池及び二次電池向け互換実装型電池ボックスにおける一次電池５から二次電池への収納実装交換時に要する操作レバー４の操作による可動端子片２に対する位置決め固定の切り替え手順を説明するために示した側面断面図である。
【００２７】
この電池ボックスにおいて、一次電池５から二次電池へと収納実装の交換を行う場合、操作レバー４における固定端子片３と対向する他周壁の局所を図示の矢印の向きに引き下げ操作し、可動端子片２の平坦片２ａにおける他周壁側に位置される先端と操作レバー４の突起部４ａとの当接による係止状態（一次電池を収納実装するための位置決め固定）を解放してから可動端子片２を図示の矢印の向きの他周壁側へスライドさせて端子片間の距離を大きくした後、引き下げ操作を解放して元の位置に戻すときに平坦片２ａの係止用穴２ｂに対して操作レバー４の突起部４ａを挿入することで二次電池を収納実装するための位置決め固定を行う。
【００２８】
図３は、この一次電池及び二次電池向け互換実装型電池ボックスの二次電池６に対する収納実装状態での基本構造を上蓋を取り外した状態で示したもので、同図（ａ）は外観斜視図に関するもの，同図（ｂ）は上面方向からの平面図に関するもの，同図（ｃ）は同図（ｂ）におけるＡ−Ａ′線矢視方向における側面断面図に関するものである。
【００２９】
ここでの図３（ａ）〜（ｃ）では、上述したように、可動端子片２における平坦片２ａの係止用穴２ｂに対する操作レバー４の突起部４ａの挿入係止による二次電池６を収納実装するための位置決め固定された状態にあって、二次電池６をケース１内で固定端子片３と可動端子片２との間で挟んで正極端子及び負極端子に対して電気的に接続することで収納実装した様子を示している。因みに、二次電池６の収納実装時には、一次電池５を収納実装した場合よりも荷重が緩和されて負極端子の距離が広がるので、負極端子を二次電池６を固定するためのバネとして利用する。
【００３０】
このようにして、実施例１に係る一次電池及び二次電池向け互換実装型電池ボックスは、可動端子片２を操作レバー４の操作に際して位置決め固定することにより、一次電池５，二次電池６の外形寸法や出力電圧の異なるものを同じケース１内において固定端子片３と可動端子片２との間で挟んで正極端子及び負極端子に対して電気的に接続して互換収納実装することができる。
【実施例２】
【００３１】
実施例２に係る一次電池及び二次電池向け互換実装型電池ボックスは、上述した第２の形態の構造を具体化したもので、一次電池５，二次電池６を互換実装可能な機能を持つ点は実施例１の場合と同じであり、且つ構造的に共通部分が多いことにより、略図した上で実施例１の場合の参照符号をそのまま使用して説明する。
【００３２】
その基本構造は、実施例１で説明した電池ボックスにおける操作レバー４の仕組みを変更し、ケース１の一部に嵌合装着されて可動端子片２を位置決め固定可能な位置決め操作片が設けられるようにした上、可動端子片２が一次電池５を収納実装する場合と二次電池６を収納実装する場合とでスライドによりそれぞれ異なる位置で位置決め操作片との間で係止されるようになっている。
【００３３】
このため、細部構造として、位置決め操作片は、ケース１における固定端子片３と対向する他周壁の局所から一次電池５，二次電池６を実装支持するための底面に及んで固定端子片３，可動端子片２の延在する方向に対して垂直な方向及び平行な方向で可動端子片２近傍に延びて切り込まれて得られる形状に合致した形状を有してケース１の局部へ嵌合離脱可能であると共に、可動端子片２側の端部がケース１内に突出する突起部として形成されている。
【００３４】
可動端子片２自体は、実施例１の場合と全く同様であり、ケース１の底面に接触支持される平坦片２ａを一体的に有し、且つ平坦片２ａの他周壁側に位置される所定箇所に位置決め操作片の突起部を挿入して係止するための係止用穴２ｂが設けられている。ここでの可動端子片２は、位置決め操作片の嵌合状態で一次電池５を収納実装する場合には平坦片２ａの他周壁側に位置される先端が位置決め操作片の突起部に当接され、二次電池５を収納実装する場合には位置決め操作片の突起部が平坦片２ａの係止用穴２ｂに挿入される。
【００３５】
この実施例２に係る一次電池及び二次電池向け互換実装型電池ボックスにおいても、可動端子片２を位置決め操作片の嵌合装着に際して位置決め固定することにより、一次電池５，二次電池６の外形寸法や出力電圧の異なるものを同じケース１内において固定端子片３と可動端子片２との間で挟んで正極端子及び負極端子に対して電気的に接続して互換収納実装することができる。尚、ここでの位置決め操作片は、電池の使用の有無に拘らず通常状態でケース１の局部に嵌合装着されるものであるため、従来の専用部品のように使用しないときに別途に管理する必要がないケース１の一部品となっている。
【実施例３】
【００３６】
実施例３に係る一次電池及び二次電池向け互換実装型電池ボックスは、上述した第３の形態の構造を具体化したもので、一次電池５，二次電池６を互換実装可能な機能を持つ点は実施例１や実施例２の場合と同じであり、且つ構造的に共通部分が多いことにより、ここでも略図した上で実施例１の場合の参照符号をそのまま使用して説明する。
【００３７】
その基本構造は、対向する端子片の一方のものをケース１の一周壁に固定して取り付けられた固定端子片３とした上、他方のものを一次電池５，二次電池６の外形寸法に応じて固定端子片３に対して所定の間隔を持つように固定端子片３の延在方向と垂直な方向で位置決めされてケース１の内部に差し込み固定される差し込み端子片とし、ケース１における固定端子片３及び差し込み端子片が対向する間に位置される別の対向する周壁の所定箇所に対し、固定端子片３及び差し込み端子片の延在方向と平行な第１の位置で差し込み端子片を差し込んで一次電池５を収納実装可能に位置決め固定するための第１の装着部と、第１の位置とは異なる位置の固定端子片３及び差し込み端子片の延在方向と平行な第２の位置で差し込み端子片を差し込んで二次電池６を収納実装可能に位置決め固定するための第２の装着部とを設けるようになっている。
【００３８】
このため、細部構造として、第１の装着部と第２の装着部とは、ケース１における別の対向する周壁にあっての第１の位置と第２の位置とにそれぞれ設けられた凹溝である。更に、この凹溝は、ケース１における一次電池，二次電池を実装支持するための底面にあっての第１の位置の対向するもの同士を結ぶ第１の線上と第２の位置の対向するもの同士を結ぶ第２の線上とに及んで設けられたものであっても良い。
【００３９】
この実施例３に係る一次電池及び二次電池向け互換実装型電池ボックスにおいても、差し込み端子片を第１の位置や第２の位置の凹溝に差し込んで位置決め固定することにより、一次電池５，二次電池６の外形寸法や出力電圧の異なるものを同じケース１内において固定端子片３と可動端子片２との間で挟んで正極端子及び負極端子に対して電気的に接続して互換収納実装することができる。尚、ここでの差し込み端子片についても、電池の使用の有無に拘らず通常状態でケース１内に差し込み装着されるものであるため、従来の専用部品のように使用しないときに別途に管理する必要がないケース１の一部品となっている。
【図面の簡単な説明】
【００４０】
【図１】本発明の実施例１に係る一次電池及び二次電池向け互換実装型電池ボックスの一次電池に対する収納実装状態での基本構造を上蓋を取り外した状態で示したもので、（ａ）は外観斜視図に関するもの，（ｂ）は上面方向からの平面図に関するもの，（ｃ）は（ｂ）におけるＡ−Ａ′線矢視方向における側面断面図に関するものである。
【図２】図１に示す一次電池及び二次電池向け互換実装型電池ボックスにおける一次電池から二次電池への収納実装交換時に要する操作レバーの操作による可動端子片に対する位置決め固定の切り替え手順を説明するために示した側面断面図である。
【図３】図１に示す一次電池及び二次電池向け互換実装型電池ボックスの二次電池に対する収納実装状態での基本構造を上蓋を取り外した状態で示したもので、（ａ）は外観斜視図に関するもの，（ｂ）は上面方向からの平面図に関するもの，（ｃ）は（ｂ）におけるＡ−Ａ′線矢視方向における側面断面図に関するものである。
【符号の説明】
【００４１】
１    ケース
２    可動端子片
２ａ    平坦片
２ｂ    係止用穴
３    固定端子片
４    操作レバー
４ａ    突起部
５    一次電池
６    二次電池
【図１】
2005174673.tif 000003
【図２】
2005174673.tif 000004
【図３】
2005174673.tif 000005